(57)【要約】【課題】グリルドアの前面を構成する面材の材質を自由に選択できるものであり、清掃性を格段に良くした扉装置を搭載していること。【解決手段】グリルドア５の内側には、グリル室４の開口に近接して対向し、グリル室４の開口の面積の約半分以上を覆う略平板状の内面部材１９をグリルドア５に、例えばバネ等による勘着や、ゴムや板金による勘合により挟み込んだり、又は手回しではずせるようなねじなどにて固定したりして着脱自在に取付けたものである。【選択図】図１
2013245901.tif 000002
【特許請求の範囲】
【請求項１】
本体内に配した調理物を収容して加熱調理を行なうグリル室と、前記グリル室の開口を覆うように取り付けられたグリルドアとを有し、前記グリルドアの内側に、前記開口に近接して対向し、前記開口の面積の半分以上を覆う略平板状の内面部材を前記グリルドアに着脱自在に取付けた加熱調理器等の扉装置。
【請求項２】
前記略平板状の内面部材に、煙漏れの防止を目的としたグリルパッキンを形成した請求項１に記載の加熱調理器の扉装置。
【請求項３】
前記グリルドアの前面部を形成するグリル前板を、隣接するキッチンなどの設置本体と同様の面材で形成した請求項１または２に記載の加熱調理器の扉装置。
【請求項４】
前記グリルドアの横並びに設けた操作部の前面部を構成する操作前板を、隣接するキッチンなどの設置本体と同様の面材で形成した請求項３に記載の加熱調理器。
【請求項５】
前記グリルドアは、内側に着脱自在に取り付けてなる前記略平板状の内面部材を取り付けないとグリルドアが前記加熱調理器にセットできないもしくは、グリルドアが閉まらないように形成したことを特徴とする請求項１〜４のいずれか１項に記載の加熱調理器の扉装置。
【請求項６】
前記グリルドアは、内側に着脱自在に取り付けてなる前記略平板状の内面部材を取り付けないと前記加熱調理器の加熱が開始されないように形成したことを特徴とする請求項１〜５のいずれか１項に記載の加熱調理器の扉装置。
【請求項７】
前記グリルドアの前面部を形成するグリル前板と前記グリルドアの横並びに設けた操作部の前面部を形成する操作前板を、隣接するキッチンなどの設置本体と同様の面材で形成し、前記グリルドア前板と前記操作部前板は隣接するキッチンなどの引き出し等と上方の一辺を略一直線状に形成したことを特徴とする請求項１〜６のいずれか１項に記載の加熱調理器。
【請求項８】
前記グリルドアの持ち手を形成する把手を隣接するキッチンなどの引き出し等と同様の物を用いて形成したことを特徴とする請求項７に記載の加熱調理器。
【発明の詳細な説明】
【技術分野】
【０００１】
本発明は、一般家庭の台所や業務用の厨房等で使用される、調理物を収容して加熱調理するグリル室を備えた据え置き型、或いは組込型の加熱調理器の扉装置および、それを搭載した加熱調理器に関するものである。
【背景技術】
【０００２】
従来、この種の加熱調理器の概略構成は、図６の特許文献１に記載された従来の加熱調理器の概略図、図７の特許文献１に記載された従来の加熱調理器のドアの概略図に示すように、被調理物を加熱調理するための加熱調理器であって、内部に収容された被調理物を加熱調理する加熱庫１００と、前記加熱庫の前面に形成された開口部を開閉するドア１０５と、前記加熱庫に収容される受け皿１０４と、前記受け皿を出し入れするために前記加熱庫の外部に設けられ固定レールと可動レールとを有する少なくとも２組のレールユニット１０１、レールユニット１０２と、を備え、前記ドア１０５はその下端部近傍で前記可動レールに着脱自在に連結され、前記ドアの上端部を覆う樹脂部材により前記ドアの把手１０３を形成している。
【０００３】
このように加熱庫の前面に形成された開口部を開閉するドアは、ドアの内側に付着した調理物から発生した汚れを洗うために、着脱できるように構成している（例えば、特許文献１参照）。
【０００４】
特に、ドア１０５は覗き窓１０６を有する金属製の裏面カバー１０８と、裏面カバーの前面を覆うガラス板１０７とを備え、ガラス板の上部を把手１０３と裏面カバー１０８により狭持している。
【先行技術文献】
【特許文献】
【０００５】
【特許文献１】特開２００６−３３６８９８号公報
【発明の概要】
【発明が解決しようとする課題】
【０００６】
近年、加熱調理器を設置するキッチン等において、加熱調理器の前面部と隣接するキッチン等の前面部を構成する多種多様な面材に質感のそろった同一のものを用いて、意匠性を高め、キッチン等としてのデザインの統一感を高めることが求められている。
【０００７】
キッチン等の前面部に用いる面材を加熱調理器の前面部に構成することは物理的には可能ではあるが、グリルドアの温度の問題やグリルドアの内側に付着した調理物から発生した油脂分、飛散した調理屑の汚れ等は、加熱調理器から着脱して水につけ、洗剤等で直接洗えるように構成しているものが一般的であり、隣接するキッチン等に用いる面材として一般的な材質のメラミン化粧板、ポリ合板、集成材等の貼り合わせた合板や天然の木材（無垢材、突き出し材）等は、水につけて洗剤等で直接洗うと、貼り合わせた接着剤が剥がれる、または、木材等が水分を吸収し、膨潤や剥離、または変形等の問題が発生するものであり、加熱調理器と隣接するキッチン等の前面部を質感のそろった同一のもので構成するということが困難であるという課題を有していた。
【０００８】
なお、一部には金属（ステンレスやホーロー加工材）や樹脂（ポリカーボネート、アクリル、人造大理石）などのものもあるがいずれも、補強用として木材を用いたものが多いのも事実である。
【０００９】
したがって、前記従来の加熱調理器のグリルドアの構成では、グリルドアの内側に付着した調理物から発生した油脂分、飛散した調理屑の汚れは基本的には加熱調理器から着脱して水につけ、洗剤等で直接洗うことが前提の構成であり、加熱調理器の前面部と隣接するキッチン等の前面部を構成する多種多様な面材に質感のそろった同一のものを用いることが困難であるという課題を有していた。
【００１０】
特に、従来のグリルドアは覗き窓を有することが前提であり、覗くためには透明な部材を用いることが前提であり、材質は透明なガラスや樹脂に限られるものであって、隣接するキッチン等の前面部を構成する多種多様な面材と質感をあわせることは困難である。
【００１１】
本発明は、前記従来の課題を解決するもので、加熱調理器の前面部とキッチン等の前面部を構成する多種多様な面材に質感のそろった同一のものを用いて、意匠性を高め、キッチン等としてのデザインの統一感を高めることを特徴として、さらにはグリルドアに付着する調理物から発生した油脂分、飛散した調理屑の汚れ等の清掃性を損なうことなく行える加熱調理器の扉装置および、それを搭載した加熱調理器を提供することを目的とする。
【課題を解決するための手段】
【００１２】
前記従来の課題を解決するために、本発明の加熱調理器の扉装置は、本体内に配した、調理物を収容して加熱調理を行なうグリル室と、グリル室の開口を覆うように取り付けられたグリルドアとを有し、グリルドアの内側に、グリル室の開口に近接して対向し、グリル室の開口の面積の約半分以上を覆う略平板状の内面部材をグリルドアに着脱自在に取付けて構成した加熱調理器等の扉装置である。
【００１３】
この構成により、グリルドアの内側に付着する調理物より発生した油脂分、飛散した調理屑等の汚れに対して、グリルドアの内側に着脱自在に取付けた略平板状の内面部材を着脱して洗うことによって汚れを取り去ることができ、グリルドア全体を清掃する必要がなくなるため、グリルドアの前面を構成する面材の材質を自由に選択できるものである。
【００１４】
また、グリルドア全体を清掃する必要がなくなり、必要最小限の大きさにて設けた内面部材を清掃するだけでよく、清掃時間が短縮され清掃性も格段に良くなるものである。
【発明の効果】
【００１５】
本発明の加熱調理器によれば、グリルドアの前面を構成する面材の材質を自由に選択できるものであり、清掃性を格段に良くした扉装置を搭載した加熱調理器を実現できる。
【図面の簡単な説明】
【００１６】
【図１】本発明の実施の形態１における加熱調理器の概略構成を示す組立て断面図
【図２】同加熱調理器の設置状態を示す概略図
【図３】同加熱調理器の扉装置の詳細を示す概略図
【図４】同加熱調理器の操作部の詳細を示す概略図
【図５】本発明の実施の形態２における加熱調理器の設置状態を示す概略図
【図６】特許文献１に記載された従来の加熱調理器の概略図
【図７】特許文献１に記載された従来の加熱調理器のドアの概略図
【発明を実施するための形態】
【００１７】
第１の発明は、本体内に配した、調理物を収容して加熱調理を行なうグリル室と、グリル室の開口を覆うように取り付けられたグリルドアとを有し、グリルドアの内側に、グリル室の開口に近接して対向し、グリル室の開口の面積の約半分以上を覆う略平板状の内面部材をグリルドアに着脱自在に取付けてなる加熱調理器等の扉装置である。
【００１８】
この構成により、グリルドアの内側に付着する調理物より発生した油脂分、飛散した調理屑等の汚れに対して、グリルドアの内側に着脱自在に取付けた略平板状の内面部材を着脱して洗うことによって汚れを取り去ることができ、グリルドア全体を清掃する必要がなくなるため、グリルドアの前面を構成する面材の材質を自由に選択できるものである。
【００１９】
また、グリルドア全体を清掃する必要がなくなり、必要最小限の大きさにて設けた内面部材を清掃するだけでよく、清掃時間が短縮され清掃性も格段に良くなるものである。
【００２０】
第２の発明は、特に、第１の発明において、グリルドアの内側に、グリル室の開口に近接して対向し、グリル室の開口の面積の約半分以上を覆う略平板状の内面部材に、煙漏れの防止を目的としたグリルパッキンを形成したことを特徴とする加熱調理器の扉装置である。
【００２１】
この構成により、第１の発明の扉装置を備えた加熱調理器の調理物から発生した油煙等がグリルドアから漏れるのを防止できるとともに、グリルパッキンと略平面状の内面部材との勘合隙間より調理物から発生した油煙が漏れる心配がなく、信頼性の高い扉装置を実現できる。
【００２２】
さらには、このグリルパッキンが調理物より発生した油脂分、飛散した調理屑等の汚れた場合、グリルドアより着脱して洗う場合があるが、略平板状の内面部材に設けることで同時に着脱することができ、別々に着脱する手間が省けるとともに同時に洗うこともできるため、清掃時間が短縮され清掃性も格段に良くなるものである。
【００２３】
第３の発明は、特に、第１または第２の発明において、グリルドアの前面部を形成するグリル前板を、隣接するキッチンなどの設置本体と同様の面材で形成した加熱調理器の扉装置である。
【００２４】
この構成により、第１または第２の発明の扉装置を備えた加熱調理器の前面と隣接するキッチン等の前面を構成する多種多様な面材に質感のそろった同一のものを用いることが可能となり、意匠性を高めるとともに、キッチン等としてのデザインの統一感を高めることができる。
【００２５】
第４の発明は、特に、第３の発明において、グリルドアの横並びに設けた操作部の前面部を構成する操作前板を、隣接するキッチンなどの設置本体と同様の面材で形成した加熱調理器である。
【００２６】
この構成により、第３の発明の扉装置の前面と横並びに設けた操作部の前面と隣接するキッチン等の前面を構成する多種多様な面材に質感のそろった同一のものを用いることが可能となり、さらに意匠性を高めるとともに、キッチン等としてのデザインの統一感を高めることができる。
【００２７】
第５の発明は、特に、第１〜４のいずれか１つの発明において、グリルドアは、内側に着脱自在に取り付けてなる略平板状の内面部材を取り付けないと加熱調理器にグリルドアがセットできないもしくは、グリルドアが閉まらないように形成した加熱調理器の扉装置である。
【００２８】
この構成により、第１〜４のいずれか１つの発明の扉装置の略平板状の内面部材を取付け忘れた状態で加熱調理を行うことを防止することができるものである。
【００２９】
第６の発明は、特に、第１〜５のいずれか１つの発明において、グリルドアは、内側に着脱自在に取り付けてなる略平板状の内面部材を取り付けないと加熱調理器の加熱が開始されないように形成したものである。
【００３０】
この構成により、第１〜５のいずれか１つの発明の扉装置の略平板状の内面部材を取付け忘れた状態で加熱調理を行うことを防止することができるものである。
【００３１】
第７の発明は、特に、第１〜６のいずれか１つの発明において、グリルドアの前面部を形成するグリル前板とグリルドアの横並びに設けた操作部の前面部を形成する操作前板を、隣接するキッチンなどの設置本体と同様の面材で形成し、グリルドア前板と操作部前板は隣接するキッチンなどの引き出し等と上方の一辺を略一直線状に形成したものである。
【００３２】
この構成により、第１〜６のいずれか１つの発明の加熱調理器において、グリルドア前板と操作部前板は隣接するキッチンなどの引き出し等と上方の一辺を略一直線状に形成することで、さらなるキッチン等としてのデザインの統一感を高めることができる。
【００３３】
第８の発明は、特に、第７の発明において、グリルドアの持ち手を形成する把手を隣接するキッチンなどの引き出し等と同様の物を用いて形成したものである。
【００３４】
この構成により、第７の発明の加熱調理器において、さらなるキッチン等としてのデザインの統一感を高めることができる。
【００３５】
以下、本発明の実施の形態について、図面を参照しながら説明する。なお、この実施の形態によって本発明が限定されるものではない。ここで、実施の形態の説明順序は上記に記載の発明の順序とは異なる場合がある。また、複数の発明を包括して説明している場合もある。
【００３６】
（実施の形態１）
図１及び図２及び図３及び図４は、本発明における第１の実施の形態における加熱調理器の概略構成を示すものである。但し、実施の形態の説明に不要な構成部分については主要構成であっても省略している。以下、図面を用いて説明する。
【００３７】
ここで、図１は本発明の実施の形態１における加熱調理器の概略構成を示す組立て断面図であり、前後方向の断面である。図１に示すように、加熱調理器本体１の天面には鍋などの被加熱調理器具を載置する天板２が配されている。本実施の形態における鍋などの被加熱調理器具の加熱方式は、電磁誘導加熱としているもので、天板２は高耐熱の結晶化ガラス等の、電磁誘導によって加熱されない材質で構成されており、天板２の下方には誘導加熱コイル３が近接して設けられている。ここで天板２に載置した被加熱調理器具の加熱方式は、電磁誘導加熱方式に限定されるものではなく、例えばシーズヒーター、ラジェントヒーター、ミラクロンヒーター、ハロゲンヒーター等によるものでも良い。
【００３８】
加熱調理器本体１内には略箱形状で前面が開口したグリル室４が配設されており、その開口は前後方向に移動自在なグリルドア５で覆われている。グリル室４の後部には、グリル室４内で発生する煙等を加熱調理器本体１外に排出するための排気筒６の一端が接続され、排気筒６の他方の端部は天板２の開口に接続されている。グリル室４内には調理物７を載置するグリル皿８が収納されており、グリル皿８の表面はフッ素樹脂等の塗膜が形成されており、調理物７に対する非粘着性及び耐食性の向上が図られている。図示はしないが、グリル皿８はグリル受皿と焼網の２部品にて構成されても良い。
【００３９】
グリル皿８の前部に形成された切り欠き部９は、グリルドア５に取付けられたアーム１
０に嵌着されており、グリルドア５の移動に連動してグリル室４内を移動できるようになっている。図示はしないがグリルドア５の移動に際してレール等を用いても良い。グリル皿８の後部下面には摺動部材１１が取付けられており、グリル皿８の移動時には摺動部材１１のみがグリル室４の底面を構成する底面部材１２と摺接し、グリル皿８表面の塗膜が摩擦等により剥がれるのを防止している。グリル皿８全体は、この摺動部材１１による支持とアーム１０への嵌着とにより、グリル室４の底面部材１２と隙間を設けた状態でグリル室４内に収納される。底面部材１２は耐熱性の高い金属や結晶化ガラス等にて形成される。
【００４０】
グリル室４の上方には、調理物７を上方から加熱する上加熱体１３が配されており、グリル室４の底面を構成する底面部材１２の下方には、調理物７を下方からグリル皿８を介して加熱する下加熱体１４が設けられた両面焼きの構造を示す。但し、ここで両面焼きの構成に限定されるものではなく、例えば片面焼きの構成のものでも良い。また、グリル皿８をグリル受皿と焼網にて構成する場合、下加熱体１４はグリル受皿と焼網の間に形成するものである。
【００４１】
図では省略するが、誘導加熱コイル３に高周波出力を供給する高周波電源装置やそれらを制御する制御装置、発熱を抑える冷却装置、また、加熱の入り切りを操作する操作部などを備えるものである。
【００４２】
ここで、グリルドア５は調理物７の出し入れの開閉の際に持ち手となるグリル把手１５と、グリルドア５の前面を覆うグリル前板１６と、グリル把手１５とグリル前板１６を保持するためのグリル保護枠１７にて構成され、煙漏れ防止用のグリルパッキン１８を装着される場合もある。グリルドア５の内側には、グリル室４の開口に近接して対向し、グリル室４の開口の面積の約半分以上を覆う略平板状の内面部材１９をグリルドア５に、例えばバネ等による勘着や、ゴムや板金による勘合により挟み込んだり、又は手回しではずせるようなねじなどにて固定したりして着脱自在に取付けたことによって、グリルドア５の内側に付着する調理物７より発生した油脂分、飛散した調理屑等の汚れに対して、グリルドア５の内側に着脱自在に取付けた略平板状の内面部材１９を着脱して洗うことによって汚れを取り去ることができ、グリルドア５全体を清掃する必要がなくなるためグリルドア５の前面を構成するグリル前板１６の材質を自由に選択できるものである。また、グリルドア５全体を清掃する必要がなくなり、必要最小限の大きさにて設けた略平板状の内面部材１９を清掃するだけでよく、清掃時間が短縮され清掃性も格段に良くなるものである。
【００４３】
ここで、図２は本発明の実施の形態１の加熱調理器の設置形態を示す概略図であり、前面から見た図である。図２に示すように、加熱調理器本体１は、キッチン本体２０の上部に設けた、開口を備えたカウンター２１の上方より装着し、加熱調理器本体１の前面部が露出するように設置される。
【００４４】
横並びには、調理用具や調味料を収納する引き出し等を備え、前面部を覆うドア面材２２と本加熱調理器の前面部が同一の面を形成する。
【００４５】
また、ドア面材２２には、引き出し等を開け閉めするためのドア把手２３を備えている。
【００４６】
このドア面材２２と同一の面に本加熱調理器のグリル前板１６と、グリルドア５の横並びに設けた操作部２４の前面部を構成する操作前板２５との前面を合わせて設置するものである。なお、操作前板２５の上方には本加熱調理器の電源の入り切りを行う電源スイッチ２６を備えている。
【００４７】
ここで、図３は本発明の実施の形態１の加熱調理器の扉装置の詳細を示す概略図である。図３に示すように、グリルドア５はグリル保護枠１７にグリル把手１５（ここではグリル把手保持体２７とグリル把手飾り板２８の２部品にて構成）をねじ３０などにてグリルドア飾り板２９を挟みこんで固定し、グリル前板１６をねじ３０もしくはバネ等による勘着により固定する。
【００４８】
このグリルドア５に略平板状の内面部材１９をバネ等による勘着や、ゴムや板金による勘合により挟み込んだり、又は手回しではずせるようなねじ等にて固定したりして着脱自在に取付けるものである。
【００４９】
グリルパッキン１８はグリルドア５に着脱自在に直接取付ける方法もあるが、略平板状の内面部材１９に着脱自在に取り付けた場合は、グリルパッキン１８と略平板状の内面部材１９との勘合隙間より調理物７から発生した油煙が漏れる心配がなく、信頼性の高い扉装置を実現することができるとともに、さらには、このグリルパッキン１８が調理物７より発生した油脂分、飛散した調理屑等の汚れた場合に、グリルドア５より着脱して洗う場合があるが、略平板状の内面部材１９に設けることで同時に着脱することができ、別々に着脱する手間が省けるとともに同時に洗うこともできるため、清掃時間が短縮され清掃性も格段に良くなるものである。
【００５０】
ここで、グリル保護枠１７は金属等で構成されるものであり、従来は覗き窓を設けたものが一般的ではあるが本実施の形態では覗き窓を設けない構成とした。これは、本発明の加熱調理器の前面とキッチン等の前面を構成する面材に質感のそろった同一のものを用いて、意匠性を高め、キッチン等としてのデザインの統一感を高めることを特徴とすることから、覗き窓を設けることでグリル前板１６の材質が透明性と耐熱性のある樹脂ならびにガラス等に限定されるからである。
【００５１】
但し、グリル前板１６の一部に穴を設けて透明性と耐熱性のある樹脂やガラスをはめ込んで構成することは可能ではある。
【００５２】
また、略平板状の内面部材１９は金属製の板金や耐熱性の高い樹脂やガラス、セラミック等用いることが可能である。また洗浄性を高めるために非粘着性の耐熱塗料などを用いても良い。
【００５３】
また、このように構成することで、覗き窓がなくグリル保護枠１７と略平板状の内面部材１９との二重遮熱構成となることから、グリル前板１６への断熱効果も期待できるためグリル前板１６の温度低減をも図ることができ、従来のように加熱調理中にうっかり触ってしまってやけどをする等の危険がなく安全な加熱調理器を実現するものである。
【００５４】
また、このように構成することで、グリル前板１６の材質はキッチンのドア面材２２と同様の、メラミン化粧板、ポリ合板、集成材等の貼り合わせた合板や天然の木材（無垢材、突き出し材）等や比較的耐熱性の低い樹脂（ポリカーボネート、アクリル）などのものを使用することができるものであり、本発明の加熱調理器の前面とキッチン等の前面を構成する面材に質感のそろった同一のものを用いて、意匠性を高め、キッチン等としてのデザインの統一感を高めることを実現することができる。
【００５５】
ここで、図４は本発明の実施の形態１の加熱調理器の操作部の詳細を示す概略図である。図４に示すように、操作部２４は回動自在に設けた表示部３１を設け、表示部３１の前面に操作前板２５を操作前板枠３２に接着やねじ止めもしくはバネや樹脂の弾性を利用して勘着固定して、表示部３１に接着やねじ止めもしくはバネや樹脂の弾性を利用して勘着固定するものである。
【００５６】
また、表示部３１の上方に本加熱調理器の電源の入り切りを行う電源スイッチ２６を備えている。ここでは、操作前板枠３２を介して表示部３１に固定する形態を記載したが直接、表示部３１に固定することも可能である。また、表示部３１は回動自在としたが固定式の場合でも良い。但し、その場合は表示部３１を含む操作部２４を天板２に設けたものである。
【００５７】
このように、グリルドア５の横並びに設けた操作部２４にもキッチンのドア面材２２と同様の、メラミン化粧板、ポリ合板、集成材等の貼り合わせた合板や天然の木材（無垢材、突き出し材）等や比較的耐熱性の低い樹脂（ポリカーボネート、アクリル）などを使用することで、さらに本発明の加熱調理器の前面とキッチン等の前面を構成する面材に質感のそろった同一のものを構成することができ、意匠性の高い、キッチン等としてのデザインの統一感の高い構成を実現することができる。
【００５８】
また、図では省略するが、グリルドア５は略平板状の内面部材１９が装着されないとグリルドア５が加熱調理器本体１にセットできない、もしくは閉まらないように、カム機構やバネでピンを押し上げる等にて略平板状の内面部材１９が装着されていないときはグリルドア５より飛び出した状態となり、グリルドア５が加熱調理器本体１にセットできない、もしくは閉まらないようにストッパーの役割をするものである。
【００５９】
このように、グリルドア５は略平板状の内面部材１９が装着されないとグリルドア５が加熱調理器本体１にセットできない、もしくは閉まらないようにすることで、使用者が誤って略平板状の内面部材１９を取り付け忘れて調理して、グリルドア５が調理物７より発生した油脂分、飛散した調理屑等にて汚れることを防止するものであり、使い勝手が良い、誤使用を防止した加熱調理器を実現するものである。
【００６０】
また、グリルドア５は略平板状の内面部材１９が装着されないと加熱調理器の加熱が開始されないように、加熱調理器本体１にリミットスイッチやマグネットスイッチ、赤外線などを用いた近接スイッチによって略平板状の内面部材１９の装着を検知するようにしたものである。
【００６１】
このように、グリルドア５は略平板状の内面部材１９が装着されないと加熱調理器の加熱が開始されないようにすることで、使用者が誤って略平板状の内面部材１９を取り付け忘れて調理しグリルドア５が調理物７より発生した油脂分、飛散した調理屑等にて汚れることを防止するものであり、使い勝手の良い、誤使用を防止した加熱調理器を実現するものである。
【００６２】
ここで、略平板状の内面部材１９を略平面状としたのは洗いやすい形状を考慮したものであり、詳細な形状については取り付けの構成等、任意に設計配慮されるものである。
【００６３】
また、略平板状の内面部材１９をグリル室４の開口の面積の約半分以上を覆うとしたのは、洗う手間を最小限に抑えることを考慮したものであり、略平板状の内面部材１９の汚れ具合によって大きさ等は任意に設計配慮されるものである。
【００６４】
（実施の形態２）
図５は、本発明における第２の実施の形態における加熱調理器の設置状態を示す概略図であり、前面から見た図である。但し、実施の形態１で説明した重複部分については省略したものである。また、実施の形態の説明に不要な構成部分については主要構成であっても省略している。以下、図面を用いて説明する。
【００６５】
図５に示すように、グリルドア５の前面部を形成するグリル前板１６とグリルドア５の横並びに設けた操作部２４の前面部を形成する操作前板２５を、隣接するキッチン本体２０などと同様のドア面材２２で形成し、グリル前板１６と操作前板２５は隣接するキッチン本体２０などの引き出し等のドア面材２２と上方の一辺を略一直線状に形成するものである。また、グリルドア５の持ち手を形成するグリル把手１５を隣接するキッチン本体２０などの引き出しを開け閉めするためのドア把手２３と同様の物を用いて形成したものである。
【００６６】
このように構成することで、グリル前板１６と操作前板２５の材質はキッチン本体２０のドア面材２２と同様の、メラミン化粧板、ポリ合板、集成材等の貼り合わせた合板や天然の木材（無垢材、突き出し材）等や比較的耐熱性の低い樹脂（ポリカーボネート、アクリル）などのものを使用することができるものであり、本発明の加熱調理器の前面とキッチン等の前面を構成する面材に質感のそろった同一のものを用いて、意匠性を高め、さらには、上方の一辺を略一直線状にそろえることでキッチン等としてのデザインの統一感を高めることを実現することができる。
【００６７】
また、グリル前板１６にキッチン本体２０などの引き出しを開け閉めするためのドア把手２３と同様の物を用いることで、さらにキッチン等としてのデザインの統一感を高めることを実現することができる。
【産業上の利用可能性】
【００６８】
以上のように本発明は、簡便な構成でグリルドアの前面を構成する面材の材質を自由に選択できるものであり、清掃性を格段に良くした扉装置を搭載した加熱調理器を実現できるもので、一般家庭の台所や業務用の厨房等で使用される、据え置き型或いは組込型の誘導加熱調理器以外の、他の熱源の加熱調理器や、組み込み式以外の加熱調理器にも適用できるものである。
【符号の説明】
【００６９】
１  加熱調理器本体
２  天板
３  誘導加熱コイル
４  グリル室
５  グリルドア
６  排気筒
７  調理物
８  グリル皿
９  切り欠き部
１０  アーム
１１  摺動部材
１２  底面部材
１３  上加熱体
１４  下加熱体
１５  グリル把手
１６  グリル前板
１７  グリル保護枠
１８  グリルパッキン
１９  略平板状の内面部材
２０  キッチン本体
２１  カウンター
２２  ドア面材
２３  ドア把手
２４  操作部
２５  操作前板
２６  電源スイッチ
２７  グリル把手保持体
２８  グリル把手飾り板
２９  グリルドア飾り板
３０  ねじ
３１  表示部
３２  操作前板枠
【図１】
2013245901.tif 000003
【図２】
2013245901.tif 000004
【図３】
2013245901.tif 000005
【図４】
2013245901.tif 000006
【図５】
2013245901.tif 000007
【図６】
2013245901.tif 000008
【図７】
2013245901.tif 000009